(57)【特許請求の範囲】
【請求項１】
建築構造物に設置された枠体と、この枠体の長手方向両端部に設けられた乗降床と、これら乗降床間を無端状に連結されて循環移動し、踏段軸が取付けられる踏段チェーンと、前記踏段軸に回転可能に取付けられた踏段と、この踏段の移動方向に沿った両側で前記枠体上に立設した欄干とを有すると共に、前記踏段が、乗客が乗るクリート、及び隣接する踏段との間に生じる段差を覆うライザ部を有し、且つ前記ライザ部が、ライザ、このライザの左右端部に配置されるライザ側端デマケーション、及び前記踏段の上下にそれぞれ配置され、前記ライザと前記ライザ側端デマケーションとが取付けられるライザベースから成る乗客コンベアにおいて、
前記ライザ側端デマケーションに、前記ライザの左右端部と所定の幅方向隙間を有して係合する係合部を設けたことを特徴とする乗客コンベア。
【請求項２】
前記ライザの桟山間ピッチ寸法および前記ライザの最側端の桟山から前記ライザ側端デマケーションの桟山までのピッチ寸法をＬ１、前記ライザの最側端の桟山から前記ライザの左右端部までの幅方向寸法をＬ２としたとき、Ｌ２＞Ｌ１の寸法関係としたことを特徴とする請求項１記載の乗客コンベア。
【請求項３】
前記ライザベースの板厚は前記ライザの板厚よりも厚く、前記ライザ側端デマケーションは前記ライザベースの左右端部と所定の幅方向隙間を有して重畳する部分を有し、前記ライザ側端デマケーションの幅方向隙間をＬ３、前記ライザベースの左右端部と前記ライザ側端デマケーションの幅方向隙間をＬ４としたとき、Ｌ３＞Ｌ４の寸法関係としたことを特徴とする請求項１または２記載の乗客コンベア。
【請求項４】
乗降床間を無端状に連結されて循環移動し、乗客が乗るクリート、及び隣接する踏段との間に生じる段差を覆うライザ部を有し、前記ライザ部が、ライザ、このライザの左右端部に配置されるライザ側端デマケーション、及び前記踏段の上下にそれぞれ配置され、前記ライザと前記ライザ側端デマケーションとが取付けられるライザベースから成る乗客コンベアの踏段において、
前記ライザ側端デマケーションに、前記ライザの左右端部と所定の幅方向隙間を有して係合する係合部を設けたことを特徴とする乗客コンベアの踏段。
【請求項５】
前記ライザの桟山間ピッチ寸法および前記ライザの最側端の桟山から前記ライザ側端デマケーションの桟山までのピッチ寸法をＬ１、前記ライザの最側端の桟山から前記ライザの左右端部までの幅方向寸法をＬ２としたとき、Ｌ２＞Ｌ１の寸法関係としたことを特徴とする請求項４記載の乗客コンベアの踏段。
【請求項６】
前記ライザベースの板厚は前記ライザの板厚よりも厚く、前記ライザ側端デマケーションは前記ライザベースの左右端部と所定の幅方向隙間を有して重畳する部分を有し、前記ライザの左右端部と前記ライザ側端デマケーションの幅方向隙間をＬ３、前記ライザベースの左右端部と前記ライザ側端デマケーションの幅方向隙間をＬ４としたとき、Ｌ３＞Ｌ４の寸法関係としたことを特徴とする請求項４または５記載の乗客コンベアの踏段。
【発明の詳細な説明】
【技術分野】
【０００１】
本発明は、エスカレータなどの乗客コンベア及び乗客コンベアの踏段に係り、特に踏段のライザ左右端部に設けられたライザ側端デマケーションの構造に関するものである。
【背景技術】
【０００２】
エスカレータなどの乗客コンベアは、一般に、乗降床間を無端状に連結されて循環移動する踏段に、隣接する踏段との間に生じる段差を覆うライザが設けられる。一般に、このライザ２０は、踏段の正面図を示す図２、及び踏段の側面図を示す図３に示すように、踏段１４の上下（上下部）に配置されたライザベース２２、２３に溶接によって固着されていると共に、ライザ２０の左右端部には、乗客への注意喚起を目的として、黄色等に着色された樹脂製のライザ側端デマケーション２１が設けられており、このライザ側端デマケーション２１は、ライザベース２２、２３に固定ねじ２４により固定されている。なお、前後の踏段１４間には、相互間での干渉を防止するため隙間が設けられており、挟まれ防止の観点から、建築基準法ではその隙間を５ｍｍ以下と規定している。また、踏段のライザ２０は、踏段１４間に異物が挟まれた場合でも容易に変形、破損してはならず、エスカレータの進行方向に対し、ある程度の剛性が必要となる。そこで、ライザ２０は、一般に、厚さ０．５ｍｍ程度のステンレス鋼板を用い、桟山と桟谷が連続するようにして一体成型されており、厚さ２．５ｍｍ程度のライザベース２２、２３に溶着されている。
【発明の概要】
【発明が解決しようとする課題】
【０００３】
しかしながら、従来のものでは、ライザの上方部及び下方部を示す断面拡大図である図７に示すように、ライザ２０ａの上方部及び下方部は、その裏面がライザベース２２ａ、２３ａに支持されていることから、十分な剛性を確保できるものの、高さ方向中央部付近、すなわち、図２、及び図３のＨにて示す領域はライザベースが無く、ライザの高さ方向中央部を示す断面拡大図である図８に示すように、ライザ２０ａ単体で剛性を確保しなければならないと共に、この領域における左右最端部は、桟谷であり、平板状で剛性が低い。このため、図９に示すように、ライザ２０ａとライザ側端デマケーション２１ａとの間に傘先端などの細い異物２５ａが挟まった場合、ライザ２０ａが変形する恐れがあり、最悪の場合、変形により生じた開口部Ｗに乗客の衣服などが引き込まれ、大きな事故に至る危険性があった。
【０００４】
また、左右対となって張設される踏段チェーンは、踏段１４への乗客負荷状況の違いなどにより、経年的伸びに左右差が発生し踏段１４が斜めに走行する場合があり、踏段１４の後端側（ライザ側）が左右どちらかに振られて、ライザ側端デマケーション２１が踏段１４の側方に配置されたスカートガード１６に接触することがある。特にスカートガード１６の継ぎ目段差に衝突すると、強い衝撃力によりライザ側端デマケーション２１が破損したり、ライザ２０の端部が変形したりすることもある。ライザ側端デマケーション２１の破損は、固定ボルト２４を緩めるだけで新品に交換できるが、ライザ２０端部が変形した場合は踏段１４一式を交換しなくてはならないことから、この観点からもライザ２０左右端部の剛性向上が望まれていた。
【０００５】
本発明は、前述した従来技術における実状からなされたもので、その目的は、ライザ左右端部の剛性の向上を図ることのできる乗客コンベア及び乗客コンベアの踏段を提供することにある。
【課題を解決するための手段】
【０００６】
前記の目的を達成するために、本発明は、建築構造物に設置された枠体と、この枠体の長手方向両端部に設けられた乗降床と、これら乗降床間を無端状に連結されて循環移動し、踏段軸が取付けられる踏段チェーンと、前記踏段軸に回転可能に取付けられた踏段と、この踏段の移動方向に沿った両側で前記枠体上に立設した欄干とを有すると共に、前記踏段が、乗客が乗るクリート、及び隣接する踏段との間に生じる段差を覆うライザ部を有し、且つ前記ライザ部が、ライザ、このライザの左右端部に配置されるライザ側端デマケーション、及び前記踏段の上下にそれぞれ配置され、前記ライザと前記ライザ側端デマケーションとが取付けられるライザベースから成る乗客コンベアにおいて、前記ライザ側端デマケーションに、前記ライザの左右端部と所定の幅方向隙間を有して係合する係合部を設けたことを特徴としている。
【０００７】
また、本発明は、乗降床間を無端状に連結されて循環移動し、乗客が乗るクリート、及び隣接する踏段との間に生じる段差を覆うライザ部を有し、前記ライザ部が、ライザ、このライザの左右端部に配置されるライザ側端デマケーション、及び前記踏段の上下にそれぞれ配置され、前記ライザと前記ライザ側端デマケーションとが取付けられるライザベースから成る乗客コンベアの踏段において、  前記ライザ側端デマケーションに、前記ライザの左右端部と所定の幅方向隙間を有して係合する係合部を設けたことを特徴としている。
【０００８】
このように構成した本発明では、ライザ側端デマケーションの係合部にライザの左右端部を係合させ、ライザ左右端部の前後方向の剛性を高めることができる。
【０００９】
さらに、本発明は、前記ライザの桟山間ピッチ寸法および前記ライザの最側端の桟山から前記ライザ側端デマケーションの桟山までのピッチ寸法をＬ１、最側端の桟山から前記ライザの左右端部までの幅方向寸法をＬ２としたとき、Ｌ２＞Ｌ１の寸法関係としたことを特徴としている。
【００１０】
このように構成した本発明では、ライザ左右端部がＬ２−Ｌ１の分だけライザ側端デマケーションと重なって係合するため、最側端の桟山とライザ側端デマケーションとの間の桟谷に傘先端などの細い異物が挟まった場合でも、ライザが変形しにくくなり、ライザの変形を最小限に抑えることができると共に、開口部が生じることを防ぐことができる。
【００１１】
さらにまた、本発明は、前記ライザベースの板厚は前記ライザの板厚よりも厚く、前記ライザ側端デマケーションは前記ライザベースの左右端部と所定の幅方向隙間を有して重畳する部分を有し、前記ライザ側端デマケーションの幅方向隙間をＬ３、前記ライザベースの左右端部と前記ライザ側端デマケーションの幅方向隙間をＬ４としたとき、Ｌ３＞Ｌ４の寸法関係としたことを特徴としている。
【００１２】
このように構成した本発明では、ライザ側端デマケーションと欄干パネルが接触し、固定ボルトが変形してライザ側端デマケーションがずれても、その衝撃力を比較的厚板のライザベースにて受けることにより、ライザの左右端部が変形することを防ぐことができる。
【発明の効果】
【００１３】
本発明によれば、ライザ左右端部の剛性の向上を図り、外力によるライザ左右端部の変形を低減し、これによって、安全性の向上、及び保全コストの低減を図ることができる。
【図面の簡単な説明】
【００１４】
【図１】本発明が適用される乗客コンベアの概略構成図である。
【図２】乗客コンベアの踏段の正面図である。
【図３】乗客コンベアの踏段の側面図である。
【図４】本発明に係る乗客コンベア、及び乗客コンベアの踏段の一実施例を示す図３のＡ−Ａ部断面拡大図である。
【図５】本発明に係る乗客コンベア、及び乗客コンベアの踏段の一実施例を示す図３のＢ−Ｂ部断面拡大図である。
【図６】ライザの最側端の桟山とライザ側端デマケーションとの間の桟谷に異物が挟まった状態を示す図３のＡ−Ａ部断面拡大図である。
【図７】従来のライザの上方部及び下方部を示す断面拡大図である。
【図８】従来のライザの高さ方向中央部を示す断面拡大図である。
【図９】従来のものにあってライザの最側端の桟山とライザ側端デマケーションとの間の桟谷に異物が挟まった状態を示す断面拡大図である。
【発明を実施するための形態】
【００１５】
以下、本発明に係る乗客コンベア、及び乗客コンベアの踏段の実施例を図に基づき説明する。
【００１６】
乗客コンベア、例えば、エスカレータ装置１は、図１に示すように、建築構造物の上階２及び下階３に跨って設置された枠体４と、この枠体４の長手方向両端部に配置される上部機械室５及び下部機械室６と、これらの機械室５、６を上から塞ぐ上部乗降床７及び下部乗降床８と、機械室５、６に設置され、それぞれが左右一対に設けられる上部ターミナルスプロケット９及び下部ターミナルスプロケット１０と、これらのターミナルスプロケット９、１０に無端状に巻き掛けられる左右一対の踏段チェーン１１と、左右の踏段チェーン１１を連結する踏段軸１２と、踏段軸１２の両端に設けられた前輪１３と、踏段軸１２に回転可能に取付けられた踏段１４と、上部機械室５内に設置され、ターミナルスプロケット９、１０、及び踏段チェーン１１を介して踏段１４を回動する駆動機１５と、踏段１４の移動方向に沿った両側に互いに対向して枠体４に立設される欄干パネル２６と、この欄干パネル２６の周縁に沿って踏段１４と同期して駆動される移動手摺１７とを有している。また、踏段１４の側方には踏段１４から所定の隙間を空けてスカートガード１６が設けられている。
【００１７】
踏段１４は、正面図である図２に示すように、乗客が乗るクリート１８と、隣接する踏段との間に生じる段差を覆うライザ部１９とを有している。
【００１８】
ライザ部１９は、ライザ２０と、このライザ２０の左右端部に配置されるライザ側端デマケーション２１と、側面図である図３にも示すように、踏段１４の上下にそれぞれ配置され、ライザ２０とライザ側端デマケーション２１とが取付けられるライザベース２２、２３とから成る。
【００１９】
ライザ側端デマケーション２１は、ライザベース２２、２３に固定ねじ２４を介して固定されている。
【００２０】
そして、本実施例の乗客コンベア、及び乗客コンベアの踏段は、図３のＡ−Ａ部断面拡大図である図４に示すように、ライザ側端デマケーション２１に、ライザ２０の左右端部と係合する係合部２１Ａが設けられている。このように係合部２１Ａを設けて係合させたことで、ライザ左右端部の前後方向の剛性を高めることができる。
【００２１】
また、ライザ２０の桟山間ピッチ寸法およびライザ２０の最側端の桟山からライザ側端デマケーション２１の桟山までのピッチ寸法をＬ１、ライザ２０の最側端の桟山からライザ２０の左右端部までの幅方向寸法をＬ２としたとき、Ｌ２＞Ｌ１の寸法関係としてある。尚、ライザ側端デマケーション２１における桟山間ピッチ寸法もＬ１としてある。
【００２２】
さらに、図３のＢ−Ｂ部断面拡大図である図５に示すように、ライザ２０の左右端部とライザ側端デマケーション２１の幅方向隙間をＬ３、ライザベース２２、２３の左右端部とライザ側端デマケーション２１の幅方向隙間をＬ４としたとき、Ｌ３＞Ｌ４の寸法関係としてある。尚、ライザベース２２、２３の板厚はライザ２０の板厚よりも厚くしてある。
【００２３】
本実施例によれば、ライザ２０の桟山間ピッチ寸法およびライザ２０の最側端の桟山からライザ側端デマケーション２１の桟山までのピッチ寸法をＬ１、ライザ２０の最側端の桟山からライザ２０の端部までの幅方向寸法をＬ２としたとき、Ｌ２＞Ｌ１の寸法関係とすることで、ライザ左右端部がＬ２−Ｌ１の分だけライザ側端デマケーションと重なって係合するため、図６に示すように、ライザ２０の最側端の桟山とライザ側端デマケーション２１との間の桟谷に傘先端などの細い異物２５が挟まった場合でも、ライザ２０が変形しにくくなり、ライザ２０の変形を最小限に抑えることができると共に、従来のように開口部が生じることを防ぐことができる。
【００２４】
尚、ライザ２０の桟山間ピッチ寸法およびライザ２０の最側端の桟山からライザ側端デマケーション２１の桟山までのピッチ寸法をともにＬ１としているのは、ピッチ寸法を変更すると意匠上の問題が生じること、および、この桟山および桟谷にかみ合う隣の踏段１４の前端デマケーションあるいは側端デマケーションの桟山間ピッチ寸法もＬ１となっているからである。
【００２５】
また、左右対となって張設される踏段チェーン１１は、踏段１４への乗客負荷状況の違いなどにより、経年的伸びに左右差が発生し踏段１４が斜めに走行する場合があり、踏段１４の後端側（ライザ側）が左右どちらかに振られて、ライザ側端デマケーション２１がスカートガード１６に接触することがある。特にスカートガード１６の継ぎ目段差１６Ａに衝突すると、強い衝撃力が加わる。しかし、ライザ２０の左右端部とライザ側端デマケーション２１の幅方向隙間をＬ３、ライザベース２２、２３の左右端部とライザ側端デマケーション２１の幅方向隙間をＬ４としたとき、Ｌ３＞Ｌ４の寸法関係とすることで、前述した衝撃力により固定ボルト２４が変形してライザ側端デマケーション２１がずれても、その衝撃力を一般的に２．５ｍｍ程度の比較的厚板で形成されライザ２０の板厚よりも厚いライザベース２２、２３にて受けることができるので、ライザ２０の端部が変形することを防ぐことができる。
【００２６】
本実施例によれば、ライザ２０左右端部の剛性の向上を図り、外力によるライザ端部の変形を低減し、これによって、安全性の向上、及び保全コストの低減を図ることができる。
【符号の説明】
【００２７】
１  エスカレータ装置
２  上階
３  下階
４  枠体
５  上部機械室
６  下部機械室
７  上部乗降床
８  下部乗降床
９  上部ターミナルスプロケット
１０  下部ターミナルスプロケット
１１  踏段チェーン
１２  踏段軸
１３  前輪
１４  踏段
１５  駆動機
１６  スカートガード
２６  欄干パネル
１７  移動手摺
１８  クリート
１９  ライザ部
２０  ライザ
２１  ライザ側端デマケーション
２１Ａ  係合部
２２、２３  ライザベース
２４  固定ねじ
２５  異物
【図１】
0005469049.tif 000002
【図２】
0005469049.tif 000003
【図３】
0005469049.tif 000004
【図４】
0005469049.tif 000005
【図５】
0005469049.tif 000006
【図６】
0005469049.tif 000007
【図７】
0005469049.tif 000008
【図８】
0005469049.tif 000009
【図９】
0005469049.tif 000010